(57)【要約】【課題】この発明は、表示装置に関し、複数画面を分割表示する場合における画面切替処理と、出力音声の切替処理とを独立して実行することを課題とする。【解決手段】１または複数の画面を表示する表示部と、表示部に表示させる画面の数を選択する表示選択部と、複数の画面を表示部に表示した場合に画面内に表示される映像の切替操作が可能な画面を選択する操作画面選択部と、音声出力部と、音声出力部に出力させる音声に対応した画面を選択する音声選択部と、音声選択部によって選択された画面に表示されている映像に対応した音声を音声出力部に与える音声制御部とを備えたことを特徴とする。【選択図】図１
2008177974.tif 000002
【特許請求の範囲】
【請求項１】
１または複数の画面を表示する表示部と、表示部に表示させる画面の数を選択する表示選択部と、複数の画面を表示部に表示した場合に画面内に表示される映像の切替操作が可能な画面を選択する操作画面選択部と、音声出力部と、音声出力部に出力させる音声に対応した画面を選択する音声選択部と、音声選択部によって選択された画面に表示されている映像に対応した音声を、音声出力部に与える音声制御部とを備えたことを特徴とする表示装置。
【請求項２】
前記操作画面選択部による画面選択と、前記音声選択部による画面選択とが、独立して行われることを特徴とする請求項１の表示装置。
【請求項３】
前記表示選択部によって選択される画面の数が２であり、表示部に２つの画面が同時に表示されている場合、前記音声制御部が、前記２つの画面のうち前記音声選択部によって選択された一方の画面に表示される映像に対応した音声を、音声出力部へ与えることを特徴とする請求項１の表示装置。
【請求項４】
前記表示部に複数の画面を表示させる場合、いずれか一つの画面内に表示させる映像を切り替える指示を与えるチャネル選択部と、
前記表示選択部によって選択された数の画面を表示部に表示させ、前記チャネル選択部によって与えられた切替指示に基づいて、前記操作画面選択部によって選択された画面に表示される映像を切り替える表示制御部とをさらに備えることを特徴とする請求項１の表示装置。
【請求項５】
前記音声出力部が２つのスピーカを備え、前記表示部に２画面を表示させる場合、
前記音声選択部が、前記第１および第２のスピーカに出力すべき音声に対応した第１および第２の画面をそれぞれ選択し、前記音声制御部が、音声選択部によって選択された前記第１および第２の画面に表示されている映像に対応した音声を、それぞれ対応する第１のスピーカおよび第２のスピーカに与えることを特徴とする請求項１の表示装置。
【請求項６】
表示部の画面に表示される映像に対応する音声が、左音声と右音声からなるステレオ音声である場合に、前記音声制御部は、前記第１のスピーカに、音声選択部によって選択された第１の画面に表示されている映像に対応する左音声を与え、前記第２のスピーカには、音声選択部によって選択された第２の画面に表示されている映像に対応する右音声を与えることを特徴とする請求項５の表示装置。
【請求項７】
前記表示部にＭ個（Ｍ≧２）の画面を表示し、前記音声出力部がＮ個（Ｎ≧２）のスピーカからなる場合、前記音声選択部が、第ｉ番目（ｉ＝１，２，…Ｎ）のスピーカに出力すべき音声に対応した第ｋ画面（ｋ＝１，２，…Ｍ）を選択し、前記音声制御部が、音声選択部によって選択された第ｋ画面に表示されている映像に対応した音声を、前記第ｉ番目のスピーカに与えることを特徴とする請求項１の表示装置。
【発明の詳細な説明】
【技術分野】
【０００１】
この発明は、ＰＢＰ(Picture By Picture)機能を有する表示装置に関し、特に、複数画面表示をしたときの画面の切替制御と音声の切替制御が別々に可能な表示装置に関する。
【背景技術】
【０００２】
従来、テレビ放送を受信しテレビ番組を表示する表示装置の中には、ＰＢＰ機能を有する表示装置がすでに販売されている。ＰＢＰ機能とは、１つの表示装置に、２つ以上のテレビ番組の画面を同時に表示する機能である。２画面を同時に表示するためには、たとえばリモコンの「２画面表示」ボタンを押す。２画面表示ボタンが押されると、表示装置に２つの画面が同時に表示され、それぞれの画面で異なるテレビ番組を見ることができる。このとき、通常、ボタンが押される前に見ていたテレビ番組の音声がスピーカから出力される。
【０００３】
図１４に、従来のＰＢＰ表示機能を持つ表示装置の表示画面と出力音声の説明図を示す。
図１４では、１つの表示画面に、画面Ａと画面Ｂを同時に表示している状態を示している。また、画面Ａが操作可能な画面として選択されており、画面Ａについて、リモコンによるチャネルの変更が可能な状態であることを示している。さらに、画面Ａに表示されているテレビ番組の音声が出力されている。このとき、画面Ｂのチャネルの切り替えはできず、画面Ｂに表示しているテレビ番組の音声は出力されない。
【０００４】
この状態でリモコンでチャネルの変更操作を行った場合、画面Ｂの表示はそのままで、画面Ａの表示映像と出力音声とが同時に切り替えられる。すなわち、画面Ａが選択されている状態（操作可能モード）でリモコンのチャネル変更操作を行うと、画面Ａの表示内容と音声が同時に連動して切り替えられる。
【０００５】
図１５に、従来において、画面Ｂが操作可能な画面に選択されている場合の説明図を示す。
たとえば、リモコンの「選択画面の切替」ボタンを押したとすると、操作対象の画面が、画面Ａから画面Ｂへ切り替えられる。これにより、画面Ｂが操作可能な状態となる。このとき、画面Ｂが操作可能な状態となると同時に、出力音声も切り替えられ、画面Ｂに表示されているテレビ番組の音声がスピーカから出力される。
【０００６】
また、画面Ｂが操作可能なモードとなっている場合、チャネルの切り替え操作をすると、画面Ｂの表示内容と出力音声が同時に切り替えられる。
さらに、画面Ｂの操作可能モードのときに、「選択画面の切替」ボタンを押すと、画面Ａの操作可能モードに切り替えられ、画面Ａに表示されている映像に対応した音声が出力されることになる。
【発明の開示】
【発明が解決しようとする課題】
【０００７】
しかし、上記のような従来の表示切替方式では、操作対象画面の切替と同時に出力音声も切り替えられてしまうことになるので、出力音声を切り替えたくない場合には対応できない。
たとえば、画面Ａに表示されているテレビ番組の音声を聞いた状態のままで、画面Ｂの表示チャネルを切り替えることはできない。すなわち、画面Ａのテレビ番組の表示も音声も継続して視聴したい場合において、もう一つの画面Ｂで、映像を見ながら他に見たいテレビ番組がないか探したい場合があっても、「選択画面の切替」ボタンを押して画面Ｂを操作対象画面に選択した時点で、出力音声が画面Ｂの表示番組の音声に切り替わってしまう。したがって、２画面を表示している状態で、画面Ａに表示されている映像の音声を継続して聞きたいというユーザのニーズに答えられない場合があった。
【０００８】
そこで、この発明は、以上のような事情を考慮してなされたものであり、ＰＢＰ機能を有する表示装置において、出力音声の切替と、表示されている複数の画面の選択切替とが別々に可能な表示装置を提供することを課題とする。
【課題を解決するための手段】
【０００９】
この発明は、１または複数の画面を表示する表示部と、表示部に表示させる画面の数を選択する表示選択部と、複数の画面を表示部に表示した場合に画面内に表示される映像の切替操作が可能な画面を選択する操作画面選択部と、音声出力部と、音声出力部に出力させる音声に対応した画面を選択する音声選択部と、音声選択部によって選択された画面に表示されている映像に対応した音声を音声出力部に与える音声制御部とを備えたことを特徴とする表示装置を提供するものである。
これによれば、音声選択部によって選択された画面に対応した音声を、音声制御部が音声出力部から出力する音声にするので、操作画面選択部によって選択された操作可能な画面とは関係なく、ユーザの意思で出力すべき音声を決定することができる。
【００１０】
また、この発明は、前記操作画面選択部による画面選択と、前記音声選択部による画面選択とが、独立して行われることを特徴とする。
さらに、前記表示選択部によって選択される画面の数が２であり、表示部に２つの画面が同時に表示されている場合、前記音声制御部が、前記２つの画面のうち前記音声選択部によって選択された一方の画面に表示される映像に対応した音声を、音声出力部へ与えることを特徴とする。
また、前記表示部に複数の画面を表示させる場合、いずれか一つの画面内に表示させる映像を切り替える指示を与えるチャネル選択部と、前記表示選択部によって選択された数の画面を表示部に表示させ、前記チャネル選択部によって与えられた切替指示に基づいて、前記操作画面選択部によって選択された画面に表示される映像を切り替える表示制御部とをさらに備えることを特徴とする。
【００１１】
また、この発明は、前記音声出力部が２つのスピーカを備え、前記表示部に２画面を表示させる場合、前記音声選択部が、前記第１および第２のスピーカに出力すべき音声に対応した第１および第２の画面をそれぞれ選択し、前記音声制御部が、音声選択部によって選択された前記第１および第２の画面に表示されている映像に対応した音声を、それぞれ対応する第１のスピーカおよび第２のスピーカに与えることを特徴とする。
【００１２】
さらに、表示部の画面に表示される映像に対応する音声が、左音声と右音声からなるステレオ音声である場合に、前記音声制御部は、前記第１のスピーカに、音声選択部によって選択された第１の画面に表示されている映像に対応する左音声を与え、前記第２のスピーカには、音声選択部によって選択された第２の画面に表示されている映像に対応する右音声を与えることを特徴とする。
これによれば、音声選択部によって選択された第１および第２の画面に表示されている映像に対応した音声を、２つのスピーカ（第１および第２のスピーカ）にそれぞれ与えるので、２つのスピーカから出力される音声を、独立してユーザの意図するものに切り替えることができ、たとえば、２つのスピーカから、異なる画面の音声をそれぞれ出力することができる。
【００１３】
さらに、この発明は、前記表示部にＭ個（Ｍ≧２）の画面を表示し、前記音声出力部がＮ個（Ｎ≧２）のスピーカからなる場合、前記音声選択部が、第ｉ番目（ｉ＝１，２，…Ｎ）のスピーカに出力すべき音声に対応した第ｋ画面（ｋ＝１，２，…Ｍ）を選択し、前記音声制御部が、音声選択部によって選択された第ｋ画面に表示されている映像に対応した音声を、前記第ｉ番目のスピーカに与えることを特徴とする。
【発明の効果】
【００１４】
この発明によれば、音声選択部を設けて出力させたい音声に対応した画面を選択し、その選択画面に表示されている映像に対応した音声を出力するようにしているので、操作画面選択部によって選択された画面とは関係なく、ユーザの意思によって出力すべき音声を決定することができ、音声切替に関するユーザの操作性を向上させることができる。
したがって、操作画面選択部によって選択されていない画面に表示されている映像に対応した音声を、出力することもできる。
【発明を実施するための最良の形態】
【００１５】
以下、図面を使用して本発明の実施の形態を説明する。なお、以下の実施例の記載によって、この発明が限定されるものではない。
＜表示装置の構成＞
図１に、この発明の表示装置の一実施例の構成ブロック図を示す。
この発明の表示装置は、主として、入力部１，要求選択部２，制御部３，映像受信部４，表示部５，音声出力部６，記憶部７とを備える。
【００１６】
入力部１は、ユーザが自らの意思で表示部５に表示される映像や、音声出力部６から出力される音声を選択するための入力をする部分である。たとえば、多数の入力ボタンを有し、入力ボタンを押すことにより赤外線等の無線信号を出力するリモコンが、入力部に相当する。
入力部１は、種々の情報を入力するボタンから構成されるが、この発明に特に関係するものとしては、表示切替要求部１１，画面操作切替要求部１２，チャネル切替要求部１３，音声切替要求部１４がある。
【００１７】
表示切替要求部１１は、表示部５に表示する映像を１画面とするか又は複数の画面とするかを設定入力する部分である。
たとえば、１画面の映像が表示部５に表示されている状態で、ユーザが表示切替要求部１１に対応したボタンを一度押すと、複数の画面が表示部５に表示される。２画面表示がされている状態で、表示切替要求部１１を押すと、１画面表示に戻る。複数の画面とは、２以上であればよく、特に限定するものではない。
たとえば、２つの異なるチャネルの映像を同時に表示することができる場合には、表示部５を左右に２分割して、左側の画面Ａと右側の画面Ｂに、それぞれの異なるチャネルの映像を表示する。４つのチャネルの映像を同時に表示することが可能な表示装置の場合には、表示部５を４分割して、４つの画面にそれぞれ異なるチャネルの映像を表示する。
以下の実施例では、複数の画面表示の例として、表示部５に２つの画面を同時に表示することのできる２画面分割表示機能を持つ表示装置について説明する。
すなわち、以下の実施例では、表示部５に分割表示可能な画面の数は原則として２であるが、その画面の数がｎ（＞２）の場合にも適用できる。
【００１８】
画面操作切替要求部１２は、２画面表示をしている状態において、どちらの画面について入力操作を行うかを設定入力する部分である。
初期状態において２画面のうち左側の画面Ａの入力操作が可能であるとした場合、画面操作切替要求部１２を１度押すと、右側の画面Ｂの入力操作が可能となり、左側の画面Ａの入力操作ができなくなる。もう一度画面操作要求部１２を押すと、左側の画面Ａの入力操作が可能となり、右側の画面Ｂの入力操作ができなくなる。
【００１９】
ここで、入力操作とはたとえば、チャネル切替要求部１３による表示映像のチャネルの切替，音量の変更，画質の変更，入力切替などを意味する。
したがって、右側の画面Ｂの入力操作が可能な状態では、左側の画面Ａに表示されている映像はそのままの状態で、ユーザがチャネル切替要求部１３を操作することにより、右側の画面Ｂに表示される映像を切り替えることができる。現在、どちらの画面が入力操作可能な状態であるかを、ユーザに知らせるために、表示部５の中に、選択された操作画面の表示（たとえば、「左画面選択中」または「右画面選択中」）をしてもよい。
【００２０】
チャネル切替要求部１３は、受信可能な映像の中から１つの映像を選択する部分であり、いわゆるテレビ番組のチャネルを切り替える部分である。たとえば、１から１２までの数字ボタンや、チャネルの順次切り替えボタンが、これに相当する。
表示部５に１画面表示をしている場合は、その表示画面の映像が切り替えられるが、２画面表示をしている場合は、画面操作切替要求部１２によって選択された側の画面の映像が切り替えられる。
【００２１】
音声切替要求部１４は、２画面表示をしている場合に、音声出力部６から出力される音声を選択する部分である。たとえば、表示切替要求部１１によって２画面表示にされた直後の初期状態では、１画面表示をしていたときに表示されていた映像に対応した音声をそのまま出力する。この初期状態のときに、音声切替要求部１４を１度押すと、もう一方の画面に表示されている映像に対応した音声を出力するようにする。
また、もう一度音声切替要求部１４を押すと、もとの映像に対応した音声の出力に戻る。
【００２２】
以上が、この発明に特に関係する入力部１であるが、これに限るものではなく、これらの他に音量変更ボタン，入力切替ボタン，電源ＯＮ／ＯＦＦボタン，タイマーボタンなどを備えてもよい。
【００２３】
要求選択部２は、主として、上記した各切替要求部に対応して、表示や音声等を選択する部分であり、表示選択部２１，操作画面選択部２２，チャネル選択部２３，音声選択部２４を備える。これらの選択部は、ＣＰＵ，ＲＯＭ，ＲＡＭ，Ｉ／Ｏコントローラ，タイマー等からなるマイクロコンピュータにより実現される。また、これらの選択部の各機能は、ＲＯＭやＲＡＭに格納されたプログラムに基づいて、ＣＰＵが各種ハードウェアを動作させることにより実現される。
【００２４】
表示選択部２１は、表示部５に表示される画面を１画面とするか、あるいは、２画面とするかを決定する部分である。
ここで、現在の表示画面の数を示すフラグをＦＤ１とする。このフラグＦＤ１の値によって、表示部５に表示する画面を１画面とするか、２画面とするかを決定する。たとえば、ＦＤ１＝１のとき、現在１画面表示をしていることを示し、ＦＤ１＝２のとき２画面表示をしていることを示す。ＦＤ１＝１となっている場合に、表示切替要求部１１からの２画面表示要求の入力があれば、フラグＦＤ１を“２”として、表示部５に２画面表示をするために、表示制御部３１に対してＦＤ１＝２を転送する。表示制御部３１は、ＦＤ１＝２を確認すると、表示部５に２つの画面を同時に表示させる。
また、ＦＤ１＝２の状態で、１画面表示への表示切替要求があれば、ＦＤ１＝１に変更して、フラグＦＤ１を表示制御部３１へ与え、表示部５の表示を１画面表示に切りかえる。
【００２５】
操作画面選択部２２は、２画面表示をしている場合において、どちらの画面の入力操作を有効にするかを決定する部分である。ここで、現在の入力操作が可能な画面を示すフラグをＧＳＥＬとする。ＧＳＥＬの値によって、画面Ａを入力操作可能画面とするか、画面Ｂを入力操作可能画面とするかを決定する。
たとえば、ＧＳＥＬ＝Ａの場合、左の画面Ａの入力操作が可能であることを意味する。また、ＧＳＥＬ＝Ｂの場合、右側の画面Ｂの入力操作が可能であることを意味する。ＧＳＥＬ＝Ａの状態で、画面操作切替要求部１２の入力があったとすると、フラグＧＳＥＬを“Ｂ”に変更し、ＧＳＥＬ＝Ｂを表示制御部３１へ与え、画面Ｂを入力操作可能な画面とすることを伝える。
【００２６】
チャネル選択部２３は、チャネル切替要求部１３からの入力に従って、表示部５に表示すべき映像を決定する部分である。チャネル切替要求部１３によって入力されたチャネルの番号を示すフラグをＦＣＨとする。たとえば、チャネルが１から１２まであるとすると、フラグＦＣＨとしては、１から１２までのいずれかの数値が設定される。設定したチャネルのフラグＦＣＨは表示制御部３１へ与えられる。
【００２７】
音声選択部２４は、２画面表示をしている場合において、音声出力部６に出力させる音声に対応した画面を選択する部分であり、言いかえれば、どちらの画面の音声を出力すべきかを決定する部分である。ここで、出力すべき画面を示すフラグを、ＶＳＥＬとする。たとえば、ＶＳＥＬ＝Ａの場合、画面Ａが選択されており、左側の画面Ａに表示されている映像に対応する音声を出力することを意味する。また、ＶＳＥＬ＝Ｂの場合、画面Ｂが選択されており、右側の画面Ｂに表示されている映像に対応する音声を出力することを意味する。
【００２８】
ＶＳＥＬ＝Ａの状態で、音声切替要求部１４からの入力があった場合、フラグＶＳＥＬをＢに変更し、出力する音声に対応した画面を画面Ｂに設定する。フラグＶＳＥＬの値は、音声制御部３２に与えられる。
この発明では、上記のような４つの選択部（２１〜２４）を備えるが、それぞれの選択内容に対して、４つのフラグが存在する。４つのフラグは、記憶部７に記憶される。また、フラグＶＳＥＬやＧＳＥＬが、１ビットのデータとして記憶される場合は、たとえば画面Ａに対して０、画面Ｂに対して１が記憶される。記憶部７は、たとえば、フラッシュメモリ，ＲＡＭ，ハードディスクなどを用いることができる。記憶部７は、これらのフラグの他、表示制御や音声制御に必要な種々の情報を記憶する。
【００２９】
映像受信部４は、多数の放送局から送信されてくるテレビ番組（ｃｈ１〜１２）を受信する部分であり、たとえば、テレビアンテナ，チューナが相当する。
また、ケーブルテレビやＤＶＤプレーヤなどの映像を出力して表示部５にその映像を表示させることが可能な機器も、映像受信部４に相当する。映像受信部４によって受信された情報は、制御部３へ送られる。ここで受信される情報は、映像と音声に分離され、映像は表示制御部３１によって処理され、音声は音声制御部３２によって処理される。
【００３０】
制御部３は、要求選択部２から与えられる各フラグの値に基づいて、映像受信部４から取得可能な映像と音声を選択して、表示部５および音声出力部６から出力する部分である。
制御部３は主として、表示制御部３１と、音声制御部３２とからなる。制御部３も、マイクロコンピュータにより実現され、記憶部７に記憶されるプログラムに基づいて、その機能が実現される。
【００３１】
表示制御部３１は、映像受信部４から与えられた映像のうち、要求選択部２によって選択された情報によって特定される映像を、表示部５へ与える部分である。たとえば、１画面表示の場合は、表示選択部２１から与えられるフラグＦＤ１はＦＤ１＝１であり、チャネル選択部２３から与えられるフラグＦＣＨの値に対応する映像を選択して、表示部５へ送る。
また、２画面表示の場合は、ＦＤ１＝２であり、画面Ａに対して選択されたチャネルの映像と、画面Ｂに対して選択されたチャネルの映像とが、表示部５へ送られる。
【００３２】
また、表示制御部３１によって選択された映像に対応する音声は、音声制御部３２へ与えられる。たとえば、１画面表示をする場合は、表示部５に表示される１つの映像に対応する音声が、音声制御部３２へ送られる。
また、２画面表示をする場合、画面Ａと画面Ｂに表示すべき映像に対応する音声がともに音声制御部３２へ与えられる。たとえば、画面Ａに表示する映像がチャネル２である場合、チャネル２の映像に対応した音声Ｖａが与えられ、画面Ｂに表示する映像がチャネル１０である場合、チャネル１０の映像に対応した音声Ｖｂが与えられる。
【００３３】
音声制御部３２は、表示制御部３１から与えられた音声を音声出力部６へ与える部分である。１画面表示をする場合は１つの音声のみが表示制御部３１から与えられるので、その与えられた音声をそのまま音声出力部６へ送る。
一方、２画面表示をする場合は、たとえば一方の画面Ａに表示される映像に対応した音声Ｖａを、音声出力部６へ与える。
【００３４】
２画面表示の場合、２つの画面（Ａ，Ｂ）に表示される映像のうち、どちらの映像に対応する音声（ＶａまたはＶｂ）を出力するかは、音声選択部２４から与えられるフラグＶＳＥＬによって決定される。たとえば、ＶＳＥＬ＝Ａであれば、画面Ａに表示される映像に対応する音声Ｖａが出力され、ＶＳＥＬ＝Ｂであれば、画面Ｂに表示される映像に対応する音声Ｖｂが出力される。この出力音声の出力のバリエーションについては、後述する。
【００３５】
表示部５は、いわゆるモニタテレビであり、ＣＲＴ，ＬＣＤ，ＰＤＰなど種々の表示パネルを用いることができる。
音声出力部６は、音声を出力する機器（スピーカ）であり、モノラル音声またはステレオ音声を出力することができるように１または複数のスピーカから構成される。出力される音声は、音声制御部３２によって選択された音声である。
ステレオ音声を出力する場合は、少なくとも２つのスピーカが用いられる。この場合、両方のスピーカから、たとえば画面Ａに対応する音声のみを出力してもよいが、一方のスピーカから画面Ａに対応した音声を出力し、他方のスピーカから画面Ｂに対応した音声を出力してもよい。
【００３６】
この発明では、表示制御部３１によって、表示部５に表示される映像が選択され、音声制御部３２によって、音声出力部６から出力される音声が選択される。映像の選択は、要求選択部２の３つのフラグ（ＦＤ１，ＧＳＥＬ，ＦＣＨ）の値に基づいて行われる。音声の選択は、これらの３つのフラグも関係するが、主として、音声選択部２４から与えられるフラグＶＳＥＬの値に基づいて行われる。
すなわち、この発明では、表示部５に表示される映像の選択切替と、スピーカ６から出力される音声の選択切替とは、ユーザの切替要求に基づいて独立して行われる。
【００３７】
したがって、後述するように、この発明では、２画面表示をしている場合において、入力操作画面を切替えても、音声の出力を現在のままとすることができる。また、２画面を見ている状態で、一方の画面の音声を開いたまま、他方の画面の映像のチャネルを切り替えることもできる。すなわち、２画面に表示される映像の切替操作に関係なく、出力する音声を、ユーザの意思で選択することができる。
【００３８】
＜この発明の画面表示と音声出力の制御：第１実施例＞
以下に、この発明における画面表示の制御と、音声出力の制御の第１実施例について、説明する。ここでも、１画面表示と、２画面表示の切り替えについて説明するが、表示部５に３画面以上の分割表示をする場合も、同様の考え方で、画面と音声の切替をすることが可能である。
【００３９】
図２に、この発明の画面表示制御と、音声出力制御のフローチャートの一実施例を示す。ここでは、２画面表示をする場合、スピーカからはどちらの一方の表示画面に対応する音声のみが出力されるものとする。すなわち、音声切替要求部１４からの入力に基づいて、画面Ａに対応する音声Ｖａを出力するか、あるいは、画面Ｂに対応する音声Ｖｂを出力する。
前提として、表示装置の電源がＯＮ状態とされ、初期設定状態の映像と音声が出力されているものとする。
【００４０】
図２のステップＳ１において、２画面表示要求の入力があるか否か、チェックする。ここでは、表示選択部２１が、表示切替要求部１１から入力があるか否かをチェックする。
表示切替要求部１１が、１つのボタンであり、押すたびに１画面か又は２画面かの選択が順次切替えるものである場合は、そのボタンが押されると現在のフラグＦＤ１の値と異なる値に変更する。
また、１画面選択用ボタンと、２画面選択用ボタンとが別々に設けられている場合は、どちらのボタンが押されたかをチェックする。
【００４１】
ステップＳ１において、２画面表示を要求する入力があった場合には、ステップＳ２へ進み、そうでない場合は、ステップＳ３へ進む。
ステップＳ３では、１画面表示処理をする。ここでは、表示制御部３１と音声制御部３２が、現在選択されているチャネル（ＦＣＨ）に相当する映像と音声を、それぞれ、表示部５とスピーカ６へ出力する。
【００４２】
ステップＳ２において、表示制御部３１が、２画面表示処理をする。また、電源をＯＮした後はじめて２画面表示をする場合は、予め定められた初期状態となるように表示処理を行う。あるいは、記憶部７にフラグの設定値が記憶されている場合は、その設定値を読み出してそのフラグの値に基づいた表示処理を行う。
たとえば、２画面表示処理では、次のような処理を行う。
【００４３】
１画面表示をしていたときの表示映像のチャネル（ＦＣＨ）を記憶し、そのチャネルを画面Ａのチャネル番号とする。表示部５の画面Ａに相当する領域に、記憶したチャネルの映像を出力する。
画面Ｂに表示する映像のチャネルを初期設定する。たとえば、画面Ａに表示される映像と同じチャネルに設定してもよい。
また、前回２画面表示をしていたときの画面Ｂに表示されていた最後の映像のチャネル（ＦＣＨ）を記憶しておき、この記録チャネルを読み出して、画面Ｂの表示チャネルに設定してもよい。このように設定されたチャネルの映像を選択して、表示部５の画面Ｂに相当する領域に出力する。
【００４４】
記憶部７に記憶されているＧＳＥＬを読み出し、ＧＳＥＬ＝Ａの場合、画面Ａを操作可能画面とする。また、ＧＳＥＬ＝Ｂの場合は、画面Ｂを操作可能画面とする。
さらに、記憶部７に記憶されているＶＳＥＬを読み出し、ＶＳＥＬ＝Ａの場合、音声制御部３２は、画面Ａに表示する映像に対応する音声Ｖａをスピーカ６から出力させる。
ＶＳＥＬ＝Ｂの場合は、画面Ｂに表示する映像に対応する音声Ｖｂをスピーカ６から出力させる。
以上のような処理により、表示部５に２つのチャネルの映像を２つの画面（Ａ，Ｂ）に同時に表示させ、フラグＶＳＥＬによって選択された画面に表示された映像に対応した音声を、スピーカ６から出力させる。
【００４５】
ステップＳ４において、１画面表示要求が入力されたか否か、チェックする。
ステップＳ４では、現在２画面表示状態であるので、表示切替要求部１１によって、切替入力のボタンが押されたか否かを確認し、順次切り替えられるボタンが押された場合には、１画面表示要求が入力されたと判断する。あるいは、専用の１画面表示要求ボタンがある場合は、このボタンが押されたか否か、確認する。
１画面表示要求が入力された場合は、ステップＳ３へ進み、１画面表示へ戻る処理を実行し、その後ステップＳ１へ戻る。一方、１画面表示要求の入力がない場合は、ステップＳ５へ進む。
【００４６】
次に、ステップＳ５において、画面操作切替要求部１２からの入力の有無をチェックし、ステップＳ６において、音声切替要求部１４からの入力の有無をチェックし、ステップＳ７において、チャネル切替要求部１３からの入力の有無をチェックする。
これらの３つの入力のチェックの順序は、これに限るものではなく、任意でよい。
【００４７】
ステップＳ５において、対応するボタンが押され入力があった場合は、ステップＳ８へ進み、操作画面選択部２２が、操作画面をどちらにするかを決定する。
たとえば、入力前のフラグＧＳＥＬが“Ａ”であった場合において、入力があったとすると、その入力は、操作画面を画面Ｂにする入力であると判断し、ステップＳ１０へ進み、フラグＧＳＥＬを、“Ｂ”に変更する。逆に、入力前のフラグＧＳＥＬが“Ｂ”であった場合に入力があったとすると、その入力は操作画面を画面Ａに切り替える入力であると判断し、ステップＳ９へ進み、フラグＧＳＥＬを、“Ａ”に変更する。そして、いずれの場合も、ステップＳ４へ戻る。
【００４８】
ステップＳ６において、音声切替に対応するボタンが押され入力があった場合、ステップＳ１１へ進み、音声選択部２４が画面を選択し、画面Ａあるいは画面Ｂのどちらの音声を出力するかを決定する。
たとえば、現在のフラグＶＳＥＬが“Ａ”であったときに、音声切替の入力があった場合は、その入力は画面Ｂの音声を出力するように切り替えることを示す入力と判断し、ステップＳ１４へ進み、画面Ｂ側に表示されている映像に対応する音声Ｖｂを、スピーカ６から出力させる。
さらに、ステップＳ１５へ進み、フラグＶＳＥＬを“Ｂ”に変更する。
逆に、現在のフラグＶＳＥＬが“Ｂ”であったとすると、音声の切替入力があった場合、その入力は画面Ａの音声を出力するための入力と判断し、ステップＳ１２へ進み、画面Ａに表示されている映像に対応する音声Ｖａを、スピーカ６から出力させる。さらに、ステップＳ１３へ進み、フラグＶＳＥＬを“Ａ”に変更する。この後、いずれの場合も、ステップＳ４へ戻る。
【００４９】
ステップＳ７において、チャネル切替に対応するボタンが押され入力があった場合、ステップＳ１６へ進む。ここで、その入力によって、表示すべきチャネルの番号（１〜１２）がＦＣＨにセットされている。
ステップＳ１６において、現在選択されている操作画面がどちらであるかをチェックする。ここでは、フラグＧＳＥＬの値をチェックする。
【００５０】
フラグＧＳＥＬ＝Ａの場合、現在画面Ａが操作画面に設定されているので、ステップＳ１７へ進み、画面Ａの操作を可能とし、画面Ａに表示される映像のチャネルを、フラグＦＣＨの値に切り替える処理をする。すなわち、画面Ａに表示される映像を、フラグＦＣＨで示されるチャネルの映像に切り替えて、表示部５の画面Ａの領域へ出力する。
【００５１】
一方、ステップＳ１６において、フラグＧＳＥＬ＝Ｂの場合、現在画面Ｂが操作画面に設定されているので、ステップＳ１８へ進み、画面Ｂの操作を可能とし、画面Ｂに表示される映像のチャネルを、フラグＦＣＨの値に切り替える処理をする。この場合、画面Ｂに表示される映像が、フラグＦＣＨで表示されるチャネルの映像に切り替えられる。
【００５２】
次に、ステップＳ１７またはＳ１８の処理の後、ステップＳ１９へ進み、出力音声をどちらの画面のものにするかを決定する。ここでは、現在のフラグＶＳＥＬの値をチェックする。
フラグＶＳＥＬが“Ａ”の場合、画面Ａに表示されている映像に対応する音声を出力させるために、ステップＳ２０へ進む。
一方、フラグＶＳＥＬが“Ｂ”の場合、画面Ｂに表示されている映像に対応する音声を出力させるために、ステップＳ２１へ進む。
【００５３】
ステップＳ２０では、画面Ａ側の表示映像の音声Ｖａを、スピーカ６から出力させる。
ステップＳ２１では、画面Ｂ側の表示映像の音声Ｖｂを、スピーカ６から出力させる。
たとえば、ステップＳ１６において、フラグＧＳＥＬ＝Ａであるために、画面Ａのチャネルを切り替えたとしても、フラグＶＳＥＬの値が“Ｂ”であれば、スピーカ６から出力される音声は、画面Ｂの音声が出力される。すなわち、画面Ｂの音声が出力された状態のままで、画面Ａに表示される映像の切り替えが行われる。
【００５４】
逆に、操作画面が画面Ｂに設定されている状態（ＧＳＥＬ＝Ｂ）であって、フラグＶＳＥＬの値が“Ａ”であれば、画面Ａの音声Ｖａが出力されている状態で、画面Ｂに表示される映像の切り替えが行われる。
また、ＧＳＥＬ＝ＡかつＶＳＥＬ＝Ａであれば、画面Ｂの表示映像はそのままの状態で、画面Ａに表示される映像と音声とが、同時に切り替えられる。すなわち、画面Ａに表示される映像が切り替えられるごとに、出力音声としては、その切り替えられた映像に対応する音声が出力される。
【００５５】
ステップＳ２０またはＳ２１の後、ステップＳ４へ戻り、上記したような処理が繰り返し行われる。
以上のような映像および音声の切替制御によって、たとえば、図３や図４に示すような映像表示と音声出力が可能となる。
【００５６】
図３は、画面Ａが映像の操作選択画面として選択され、かつ音声を出力する画面として画面Ｂが選択されている場合を示している。すなわち、ＧＳＥＬ＝Ａ、かつＶＳＥＬ＝Ｂの状態を示している。この場合、画面Ａがリモコン（入力部１）の映像操作の対象であり、リモコンのチャネル切替操作によって、画面Ａの表示内容が切り替えられる。
また、画面Ｂの表示映像は切り替えられず、現在画面Ｂに表示されている映像に対応する音声Ｖｂが、スピーカから出力される。
【００５７】
図４は、画面Ｂが映像の操作選択画面として選択され、かつ音声を出力する画面として画面Ａが選択されている場合を示している。この場合は、画面Ｂに表示される映像の切り替えが可能であるが、出力される音声は、画面Ｂの切り替え操作とは関係なく、画面Ａに表示されている映像に対応する音声Ｖａである。
また、図２の制御によって、図１４と図１５に示したような状態の映像および音声の出力も可能である。この場合は、映像の切り替えと同時に、出力される音声も切り替えられる。
【００５８】
＜この発明の第２実施例＞
ここでは、ステレオ音声の場合において、音声の切替のバリエーションについて説明する。
スピーカは、少なくとも左右２つのスピーカからなり、１画面表示の場合は、左右のスピーカから１つの映像に対応するステレオ音声（左音声と右音声）を出力するものとする。
また、２画面表示の場合は、画面Ａあるいは画面Ｂに表示される映像のどちらか一方に対応するステレオ音声を左右のスピーカから出力するか、あるいは、左右のスピーカから異なる画面の音声を出力できるように制御する。
【００５９】
たとえば、左のスピーカからは画面Ａに表示されている映像に対応する音声の左チャネルのみを出力し、それと同時に、右のスピーカからは画面Ｂに表示されている映像に対応する音声の右チャネルのみを出力するようにする。
これによれば、ユーザは、２つのスピーカから、２つの画面Ａ，Ｂの表示映像に対応した音声を、同時に聞くことができる。
また、２つの異なる音声が同時に出力されるとユーザが非常に聞きづらい場合もあるので、現在操作画面に選択されている方の画面の音声の音量を大きくし、他方の画面の音声の音量を小さくなるようにしてもよい。
【００６０】
この実施例では、左右２つのスピーカから異なる画面の映像に対応する音声をそれぞれ出力させるために、フラグＶＳＥＬの代わりに、２つのフラグＶＳＥＬ−ＬとＶＳＥＬ−Ｒとを用いる。
ＶＳＥＬ−Ｌは、左側のスピーカから出力する音声に対応した画面を識別するフラグであり、ＶＳＥＬ−Ｒは、右側のスピーカから出力する音声に対応した画面を識別するフラグである。
【００６１】
たとえば、ＶＳＥＬ−Ｌが“Ａ”の場合、左側のスピーカからは、画面Ａに表示されている映像に対応する音声を出力することを意味する。ＶＳＥＬ−Ｒが“Ｂ”の場合、右側のスピーカからは、画面Ｂに表示されている映像に対応する音声を出力することを意味する。
また、第１実施例と同様に、選択された操作画面を示すフラグＧＳＥＬと、選択音声を示すフラグＶＳＥＬ−Ｌ，ＶＳＥＬ−Ｒとは、独立して設定される。
さらに、左右のスピーカから異なる音声を出力させるために、左スピーカの出力音声を切り替えるための左音声切替ボタンと、右スピーカの出力音声を切り替えるための右音声切替ボタンとを別々に設けることが好ましい。
すなわち、音声切替要求部１４として、２つの切替ボタンを設け、左右のスピーカの出力音声を別々に切替えられるようにする。
【００６２】
また、表示制御部３１から音声制御部３２へ与えられる音声も、４種類の音声とする。すなわち、画面Ａの音声として、左チャネルの音声Ｖａ−Ｌ（Ｌｉｎ１）と、右チャネルの音声Ｖａ−Ｒ（Ｒｉｎ１）が与えられ、画面Ｂの音声として、左チャネルの音声Ｖｂ−Ｌ（Ｌｉｎ２）と、右チャネルの音声Ｖｂ−Ｒ（Ｒｉｎ２）が与えられる。
また、音声制御部３２は、２つの左チャネルの音声（Ｖａ−ＬとＶｂ−Ｌ）のうち、どちらか一方の音声を、左スピーカに出力するためのスイッチＳＷ１と、２つの右チャネルの音声（Ｖａ−ＲとＶｂ−Ｒ）のうちどちらか一方の音声を、右スピーカに出力するためのスイッチＳＷ２とを備える。
【００６３】
図１１に、この発明の第２実施例の音声制御部３２とその周辺部分の概略構成ブロック図を示す。
音声出力部６は、左側スピーカ６１と、右側スピーカ６２とからなる。
音声制御部３２は、左側スピーカ６１に出力する左音声（Ｌｏｕｔ）の入力音声を切り替えるスイッチＳＷ１（３３）と、右側スピーカ６２に出力する右音声（Ｒｏｕｔ）の入力音声を切り替えるスイッチＳＷ２（３４）とを備える。
【００６４】
音声切替要求部１４は、左音声切替ボタン１４Ｌと、右音声切替ボタン１４Ｒとを備え、２つの切替ボタンの入力は音声選択部２４に与えられる。
音声選択部２４は、音声切替要求部１４からの入力によって出力音声を決定するための左側音声用のフラグＶＳＥＬ−Ｌと、右側音声用のフラグＶＳＥＬ−Ｒとを、音声制御部３２へ与える。
表示制御部３１は、画面Ａに表示されている映像に対応したステレオ音声（左音声Ｖａ−Ｌ，右音声Ｖａ−Ｒ）と、画面Ｂに表示されている映像に対応したステレオ音声（左音声Ｖｂ−Ｌ，右音声Ｖｂ−Ｒ）とを、音声制御部３２へ出力する。
【００６５】
スイッチＳＷ１（３３）は、２つの音声入力（Ｌｉｎ１，Ｌｉｎ２）のどちらか一方を左音声出力（Ｌｏｕｔ）に接続するものであり、左側音声用フラグＶＳＥＬ−Ｌによって、２つの入力のうちどちらを接続するかが決定される。
たとえば、ＶＳＥＬ−Ｌ＝Ａの場合は、入力Ｌｉｎ１をＬｏｕｔに接続し、画面Ａの左側音声Ｖａ−Ｌを左側スピーカ６１に出力する。
また、ＶＳＥＬ−Ｌ＝Ｂの場合は、入力Ｌｉｎ２をＬｏｕｔに接続し、画面Ｂの左側音声Ｖｂ−Ｌを、左側スピーカ６１に出力する。
【００６６】
スイッチＳＷ２（３４）は、２つの音声入力（Ｒｉｎ１，Ｒｉｎ２）のどちらか一方を右音声出力（Ｒｏｕｔ）に接続するものであり、右側音声用フラグＶＳＥＬ−Ｒによって、２つの入力のうちどちらを接続するかが決定される。
たとえば、ＶＳＥＬ−Ｒ＝Ａの場合は、入力Ｒｉｎ１をＲｏｕｔに接続し、画面Ａの右側音声Ｖａ−Ｒを、右側スピーカ６２に出力する。また、ＶＳＥＬ−Ｒ＝Ｂの場合は、入力Ｒｉｎ２をＲｏｕｔに接続し、画面Ｂの右側音声Ｖｂ−Ｒを、右側スピーカ６２に出力する。
【００６７】
図１２に、この発明の第２実施例の出力音声の説明図を示す。
図１１に示した２つのスイッチ（ＳＷ１，ＳＷ２）を独立して切り替えることにより、４通りの出力音声の組合せが考えられるが、操作画面の選択フラグＧＳＥＬとの組合せを考慮すると、図１２に示すような８通りの操作画面と音声出力の組合せが考えられる。
選択された操作画面としては、画面Ａと画面Ｂの２通りあるが、どちらの画面選択状態に対しても、４通りの音声出力が独立して選択できる。
【００６８】
たとえば、図１２の第１番目は、操作画面として画面Ａが選択されており、左側スピーカ６１から出力される音声も、右側スピーカ６２から出力される音声も画面Ａの音声である場合を示している。このとき、ＧＳＥＬ＝“Ａ”であり、ＶＳＥＬ−Ｌ＝“Ａ”，ＶＳＥＬ−Ｒ＝“Ａ”である。
また、３つのフラグＧＳＥＬ，ＶＳＥＬ−ＬおよびＶＳＥＬ−Ｒが、１ビットのデータとして記憶されるときは、０または１の値として記憶してもよい。
図１２では、これらのフラグの値が０の場合画面Ａを意味し、１の場合画面Ｂを意味している。
【００６９】
図５に、図１２の第１番目のフラグ状態に対応した表示画面と出力音声の状態の説明図を示している。
図５では、リモコンの操作対象画面が画面Ａであり、画面Ａのチャネルの切替が可能状態である。また、左側のスピーカから画面Ａの左側音声Ｖａ−Ｌが出力され、右側のスピーカから画面Ａの右側音声Ｖａ−Ｒが出力されることを示している。
図５の場合、チャネルが切り替えられると、操作対象である画面Ａの映像と両スピーカからの出力音声が切り替えられる。
【００７０】
図１２の第２番目は、図６に示すように、操作対象画面が画面Ａで、左側スピーカからは画面Ａの左音声（Ｖａ−Ｌ）が出力され、右側スピーカからは画面Ｂの右音声（Ｖｂ−Ｒ）が出力される場合を示している。
図６の場合、チャネルの切替により、画面Ａに表示される映像と左スピーカから出力される音声が切り替えられるが、画面Ｂに表示された映像と右スピーカから出力される音声は固定されたままである。
【００７１】
図１２の第４番目は、図９に示すように、操作対象画面が画面Ａで、左右のスピーカから出力される音声は、画面Ｂに表示されている映像に対応する音声（Ｖｂ−Ｌ，Ｖｂ−Ｒ）である場合を示している。この場合、チャネルの切替操作をすると、画面Ａに表示される映像が切り替えられるが、スピーカから出力される音声は、画面Ｂの音声のままである。
したがって、画面Ｂに表示されている映像と出力される音声は固定されたままであるので、ユーザは、自己が希望する画面Ｂの映像と音声とを視聴した状態で、画面Ａの表示映像を切り替えることができ、画面Ａを用いて他に見たい番組を探すことができる。
【００７２】
図１２の第５番目は、図１０に示すように、操作対象画面が画面Ｂで、左右のスピーカから出力される音声は、画面Ａに表示されている映像に対応する音声（Ｖａ−Ｌ，Ｖａ−Ｒ）の場合を示している。この場合は、画面Ａの表示映像と出力音声が固定されたままで、画面Ｂの表示映像を切り替えることができる。
図１２の第６番目は、図８に示すように、操作対象画面が画面Ｂで、左側のスピーカから画面Ａの左音声（Ｖａ−Ｌ）が出力され、右側のスピーカから画面Ｂの右音声（Ｖｂ−Ｒ）が出力される場合を示している。この場合、左側スピーカから出力される音声（Ｖａ−Ｌ）は固定されたままで、ユーザがチャネル切替操作をすると画面Ｂの映像と右音声（Ｖｂ−Ｒ）が切り替えられる。
【００７３】
図１２の第８番目は、図７に示すように、操作対象画面が画面Ｂで、左右のスピーカから出力される音声は、画面Ｂに表示されている映像に対応する音声（Ｖｂ−Ｌ，Ｖｂ−Ｒ）の場合を示している。このとき、ユーザがチャネルの切替操作をした場合、画面Ａの映像は固定されたままで、画面Ｂの表示映像と出力音声とが同時に切り替えられる。
【００７４】
以上のように、第２実施例では、操作対象画面とは別に、左右のスピーカから出力される音声の出力をそれぞれ独立して切り替えることができる。
したがって、操作対象となっている画面の映像と連動して出力音声を切り替えることや、操作対象となっている画面とは別に、左右のスピーカから出力される出力音声をユーザの意思で切り替えることができる。
【００７５】
図１３に、第２実施例の音声切替制御処理の一実施例のフローチャートを示す。
ステップＳ３１において、音声選択部２４が、音声切替要求部１４からの入力があるか否か、チェックする。入力がない場合は、処理を終了する。
音声切替要求部１４から、左スピーカへ６１の出力音声の切替要求か、あるいは右スピーカ６２への出力音声の切替要求があれば、ステップＳ３２へ進む。
ステップＳ３２において、音声選択部２４が、切替要求の入力が左スピーカ６１の切替要求であるか右スピーカ６２の切替要求であるかを、チェックする。
音声切替要求部１４として、左スピーカから出力される左音声の切替ボタン１４Ｌと右スピーカから出力される右音声の切替ボタン１４Ｒとが別々に設けられている場合は、どちらのボタンが押されたかによって、どちらのスピーカの切替要求かを判断する。
【００７６】
たとえば、左音声切替ボタン１４Ｌが押された場合、音声選択部２４は、左スピーカ６１の出力音声を切り替える要求が入力されたと判断し、ステップＳ３３へ進む。
右音声切替ボタン１４Ｒが押された場合、右スピーカ６２の出力音声を切り替える要求が入力されたと判断し、ステップＳ３４へ進む。
【００７７】
ステップＳ３３において、音声選択部２４は、現在のフラグＶＳＥＬ−Ｌの値を読み出し、その値と異なる値に書き換え、音声制御部３２へ出力する。
たとえば、読み出したＶＳＥＬ−Ｌの値が“Ａ（０）”の場合、“Ｂ（１）”に書き換え、ＶＳＥＬ−Ｌ＝Ｂ（１）を、音声制御部３２へ出力する。
ステップＳ３４においては、音声選択部２４が、現在のフラグＶＳＥＬ−Ｒの値を読み出し、その値と異なる値に書き換え、音声制御部３２へ出力する。たとえば、読み出したＶＳＥＬ−Ｒの値が“Ｂ（１）”の場合、“Ａ（０）”に書き換え、ＶＳＥＬ−Ｒ＝Ａ（０）を、音声制御部３２へ出力する。
【００７８】
ステップＳ３５において、音声制御部３２は、与えられたフラグＶＳＥＬ−Ｌの値をチェックして、画面Ａを示す値（０）の場合はステップＳ３７へ進み、画面Ｂを示す値（１）の場合はステップＳ３８へ進む。
ステップＳ３７において、左スピーカ６１から、画面Ａの左音声Ｖａ−Ｌを出力するように、スイッチＳＷ１を切り替える。具体的には、画面Ａの左音声Ｖａ−Ｌ（Ｌｉｎ１）を、左音声出力Ｌｏｕｔに接続する。
ステップＳ３８においては、左スピーカ６１から、画面Ｂの左音声Ｖｂ−Ｌを出力するように、スイッチＳＷ１を切り替える。このとき、画面Ｂの左音声Ｖｂ−Ｌ（Ｌｉｎ２）を、左音声出力Ｌｏｕｔに接続する。
【００７９】
ステップＳ３６において、音声制御部３２は、与えられたフラグＶＳＥＬ−Ｒの値をチェックして、画面Ａを示す値（０）の場合はステップＳ３９へ進み、画面Ｂを示す値（１）の場合はステップＳ４０へ進む。
ステップＳ３９において、右スピーカ６２から、画面Ａの右音声Ｖａ−Ｒを出力するように、スイッチＳＷ２を切り替える。このとき、画面Ａの右音声Ｖａ−Ｒ（Ｒｉｎ１）を、右音声出力Ｒｏｕｔに接続する。
ステップＳ４０においては、右スピーカ６２から、画面Ｂの右音声Ｖｂ−Ｒを出力するように、スイッチＳＷ２を切り替える。このとき、画面Ｂの右音声Ｖｂ−Ｒ（Ｒｉｎ２）を、右音声出力Ｒｏｕｔに接続する。
【００８０】
これにより、図５から図１０に示すように、ユーザの音声切替要求に基づいて、左右スピーカから出力される音声を、それぞれ独立して切り替えることができる。
また、操作画面の切り替えと、左右スピーカからの出力音声の切り替えとを、ユーザの異なる切替要求により行うので、映像の操作画面の切替要求が行われても、それに従属して出力音声が切り替えられることはない。
【００８１】
＜その他の実施例＞
ただし、映像と音声の切り替えを連動して行うための連動ボタンを別に設けてもよい。
たとえば、この連動ボタンが押されている場合は、映像の操作画面の切り替えに基づいて、出力音声も操作画面に選択された方の画面に対応する音声に切り替えるようにする。
一方、連動ボタンが押されていない場合は、映像の操作画面の切り替えが行われたとしても、操作画面が切り替わるだけで、出力音声は切り替えないようにする。
このように、連動ボタンを設けることにより、映像と出力音声との連動した切替制御と、独立した切替制御の選択が可能となる。
【００８２】
また、出力音声を現在の出力状態に一時的に固定したい場合に押す音声固定ボタンを別に設けてもよい。たとえば、音声固定ボタンが押されている状態では、音声切替要求部１４による切替入力があったとしても無視し、現在の音声出力状態を維持する。
音声固定ボタンが押されていない状態では、音声切替要求部１４の切替入力を有効とし、その切替入力に基づいて、出力音声を切り替える。
このように、音声固定ボタンを設けることにより、ユーザが現在の出力音声を継続して聞きたい場合に、誤って音声を切り替える操作をしても、出力音声が切り替えられないようにすることができる。
【００８３】
上記実施例では、発明の内容を容易に理解できるようにするために、表示部に２つの画面を分割表示させる場合について説明した。ただし、表示部５に同時に表示させる画面数をＭ個（Ｍ≧２）とし、スピーカ６がＮ個（Ｎ≧２）からなる表示装置にも、この発明を適用できる。たとえば、操作画面選択部２２は、表示部５に表示されるＭ個の画面のうち、ユーザの画面操作切替要求に従って、１つの画面を選択する。このとき、操作画面の切替要求をするために、表示される画面のそれぞれに予め番号を付与しておき、ユーザは、操作したい画面の番号を入力すればよい。
【００８４】
また、音声選択部２４は、入力されたユーザの音声切替要求に従って、出力すべき音声に対応した画面を選択する。
ここで、Ｎ個のスピーカから、１つの画面に表示されている映像に対応した音声のみを出力する場合には、ユーザは、１つの画面を選択すればよい。たとえば、ユーザは音声を出力させたい画面の番号を、音声切替要求として入力すればよい。
【００８５】
ただし、Ｎ個のスピーカから、異なる画面に表示された映像に対応した音声をそれぞれ出力する場合には、ユーザがどのスピーカに、どの画面の音声を出力するかを指定する必要がある。
この場合、ユーザが、出力するスピーカの番号ｉ（ｉ＝１，２，…Ｎ）と、出力すべき音声に対応した画面の番号ｋ（ｋ＝１，２，…Ｍ）とを音声切替要求として入力する。
音声選択部２４は、入力された第ｉ番目のスピーカに出力すべき第ｋ番目の画面を選択し、フラグＶＳＥＬとして、スピーカの番号（ｉ）と画面の番号（ｋ）を音声制御部３２に与える。そして、このフラグＶＳＥＬをもとに、音声制御部３２は、選択された第ｋ画面に表示されている映像に対応した音声を、第ｉ番目のスピーカに出力するようにする。
【図面の簡単な説明】
【００８６】
【図１】この発明の表示装置の一実施例の主要構成ブロック図である。
【図２】この発明の画面表示制御と音声出力制御の一実施例のフローチャートである。
【図３】この発明の第１実施例におけるＰＢＰ表示画面と出力音声の説明図である。
【図４】この発明の第１実施例におけるＰＢＰ表示画面と出力音声の説明図である。
【図５】この発明の第２実施例におけるＰＢＰ表示画面と出力音声の説明図である。
【図６】この発明の第２実施例におけるＰＢＰ表示画面と出力音声の説明図である。
【図７】この発明の第２実施例におけるＰＢＰ表示画面と出力音声の説明図である。
【図８】この発明の第２実施例におけるＰＢＰ表示画面と出力音声の説明図である。
【図９】この発明の第２実施例におけるＰＢＰ表示画面と出力音声の説明図である。
【図１０】この発明の第２実施例におけるＰＢＰ表示画面と出力音声の説明図である。
【図１１】この発明の第２実施例の音声制御に関する部分の構成ブロック図である。
【図１２】この発明の第２実施例の出力音声の説明図である。
【図１３】この発明の第２実施例の音声切替制御のフローチャートである。
【図１４】従来のＰＢＰ表示画面と出力音声の説明図である。
【図１５】従来のＰＢＰ表示画面と出力音声の説明図である。
【符号の説明】
【００８７】
１  入力部
２  要求選択部
３  制御部
４  映像受信部
５  表示部（モニタ）
６  音声出力部（スピーカ）
７  記憶部
１１  表示切替要求部
１２  画面操作切替要求部
１３  チャネル切替要求部
１４  音声切替要求部
２１  表示選択部
２２  操作画面選択部
２３  チャネル選択部
２４  音声選択部
３１  表示制御部
３２  音声制御部
３３  スイッチＳＷ１
３４  スイッチＳＷ２
６１  左側スピーカ
６２  右側スピーカ
【図１】
2008177974.tif 000003
【図２】
2008177974.tif 000004
【図３】
2008177974.tif 000005
【図４】
2008177974.tif 000006
【図５】
2008177974.tif 000007
【図６】
2008177974.tif 000008
【図７】
2008177974.tif 000009
【図８】
2008177974.tif 000010
【図９】
2008177974.tif 000011
【図１０】
2008177974.tif 000012
【図１１】
2008177974.tif 000013
【図１２】
2008177974.tif 000014
【図１３】
2008177974.tif 000015
【図１４】
2008177974.tif 000016
【図１５】
2008177974.tif 000017